(57)【要約】      （修正有）【課題】完全に門扉の騒音、不快音を防止できる門扉の落とし棒の構造を提供する。【解決手段】門扉のパイプ状落とし棒１１の先端に逆Ｕ字状切欠き部を設け、消音キャップは円柱状の本体部１４と、その両翼方向に設けられたゴムまたはプラスチックからなる消音用腕状突起部１７を有する。消音キャップを、該キャップの上面部に設けた楔型固定部１６で落とし棒１１を構成しているパイプの内部に固定し、該落とし棒１１を受けつぼ１８内に落したときに、消音用腕状突起部１７が受けつぼ１８に突っ張って、風力や人力で不快音を発生させないように固定できるようにしたものである。【選択図】図１
0003149079.tif 000002
【実用新案登録請求の範囲】
【請求項１】
門扉のパイプ状落とし棒の先端が取付地面に設けられた受けつぼに固定され、開閉可能な門扉が固定されるようになされ、パイプ状落とし棒の内部に落とし棒の消音キャップの円柱状の本体部の嵌入側先端を取りつけて構成された門扉の落とし棒の先端構造において、
前記パイプ状落とし棒の先端部には逆Ｕ字状切欠き部を設け、
該落とし棒の消音キャップには円柱状の本体部の頭部側に付け根を有し外方向に伸びたゴムまたはプラスチックからなる消音用腕状突起部を設け、
該消音用腕状突起部を前記逆Ｕ字状切欠き部から外方向に突出するようにして組み付け、かつ該パイプ状落とし棒の先端内部に該落とし棒の消音キャップの本体部の楔型固定部を挿入固定したことを特徴とする門扉の落とし棒の先端構造。
【請求項２】
消音用腕状突起部をゴムまたはプラスチックとしてポリオキシメチレンを用いたことを特徴とする請求項１に記載の門扉の落とし棒の先端構造。
【請求項３】
消音キャップの本体部の楔型固定部は、パイプ状落とし棒の内径よりやや大きい外径の傘状先端とその下部のリング状の多段鍔部とを備えて構成されていることを特徴とする請求項１または請求項２に記載の門扉の落とし棒の先端構造。
【請求項４】
パイプ状落とし棒として、アルミニウムまたは鋼材からなるパイプを用いたことを特徴とする請求項１、請求項２若しくは請求項３のいずれかに記載の門扉の落とし棒の先端構造。
【考案の詳細な説明】
【技術分野】
【０００１】
この考案は、両開き門扉の付き合わせ端部の内部側に設けられた門扉の落とし棒の先端構造に関し、更には、落とし棒の先端が受けつぼに固定されて開閉可能な門扉が固定されるようになされた門扉の落とし棒の先端構造に関する。従来の落とし棒では落とし棒と受けつぼとの間のクリアランスに基づき風あるいは人為的接触等による振動が発生し、異常音が発生していたのを防止できる門扉の落とし棒の先端構造に関する。
【背景技術】
【０００２】
従来の一般的門扉は、図７及び図８に示すように、門扉２０の少なくとも一方の側（図では左）に、その門扉の合わせ側に落とし棒１１のホルダー部１９を両開き門扉の付き合わせ端部の内部側に設け、門扉の底面部２１より下方の受けつぼ１８内に落していた。２２は受けつぼ１８が設けられる取付地面である。
【０００３】
なお、落とし棒１１は、門扉の側壁部の内部の落とし棒のホルダー１９に取り付けられる場合と、門扉の側壁部の端面の落とし棒のホルダー１９に取り付けられる場合とがある。
いずれの場合も図に示すように、受けつぼ１８へ落した落とし棒１１の先端構造１０´は、パイプ状の落とし棒１１の先端にキャップ１３を固着している。このキャップ１３のキャップ本体部１４の挿入端はキャップ楔形固定部１６で通常多段傘型の楔型を構成し、反対側にあるキャップの円蓋状頭部１５に打ち込み等の打撃を加えることにより、落とし棒１１を構成するパイプ内に食い込ませて固定していた。
【０００４】
なお、キャップ本体部１４の底面にはキャップの円蓋状頭部１５が構成されていることは、前記の楔の打撃のみならず、パイプ状の落とし棒１１の端面が万一落下衝撃を受けても、これを緩和し、パイプ状の落とし棒１１の疲労破壊を防止できるようになっている。
【０００５】
これを取付地面２２に設けられた受けつぼ１８内に落すが、受けつぼ１８と落とし棒１１との間には通常僅かなクリアランスを残して設定されるので、僅かな風力、人為的圧力などが門扉に印加されると、パイプ状の落とし棒１１と受けつぼ１２周辺との間に衝突等により摩擦が生じ、うるさい騒音を発生することとなる。
【０００６】
特許文献を見ると、特開２００８−１９０１２９号公報では門扉の戸当たり側の縦枠に、落とし棒を摺動自在にガイドする落とし棒ガイドを取り付け、設置面に落とし棒に対応する受けつぼを設けたものが知られている。そして閉扉時には、落とし棒はガイドに沿って、下方に摺動し、落とし棒の下端を受けつぼに挿入係合させ、門扉を閉じたようになるものである。（特許文献１参照）。このような技術では、落とし棒と受けつぼの摩擦による不快音の発生を避けることはできないものである。この提案は、落とし棒ガイドと落とし棒の接触可能な面に、合成樹脂の当接部を設けるものでありその間の騒音防止効果はあるが、落とし棒の先端と受けつぼの関係に基づく騒音を防止できず、更に意外に部品制作上コストがかかる難点がある。
【０００７】
さらに、開閉自在な扉体または該扉体に固定された取付部材に落とし棒を上下するガイド部を形成し、落とし棒をガイド部に押し付けて固定する固定状態と、その押し付け力を解除する固定解除状態に切り替え自在な固定機構を設けて、扉の揺れ動きに伴う落とし棒とガイド部の頻繁な衝突の繰り返しに起因する騒音発生を解消する提案として実開平６−１６６９７号公報があるが、特殊構造の落し錠を用意する必要がある。
【０００８】
また特開平７−２２９３８０号公報には、通常の扉の落とし棒は指でつまんで、上方向にあげることができるのを防止するために、門扉を閉鎖して時には、落とし棒をあげることができないようにスライドブロックを設けるものであるが、防犯上の効果はあるが、騒音防止の効果はない。
【０００９】
特に落とし棒を軽量にするためにアルミのパイプを用いるものが多いが、落とし衝撃でパイプが劣化し、ひび割れを起こす恐れがあることから、先端部には内部にねじ込み固定される補助具が設けられたものが知られている。このような補助具は、落とし棒と受け金具の間の空間は依然として有することから、騒音発生は防止できないものである。
【特許文献１】特開２００８−１９０１２９号公報
【特許文献２】特開平７−２２９３８０号公報
【特許文献３】実開平６−１６６９７号公報
【考案の開示】
【考案が解決しようとする課題】
【００１０】
本考案では、風が吹いたり、出入時に接触したりする場合に、落とし棒と受けつぼとの間の隙間により、落とし棒がガタつき、受けつぼとの摩擦による不快な音を発生することが知られているがこれを防止しようとするものである。
【課題を解決するための手段】
【００１１】
本考案は、上記の課題を解決するためになされたもので、落とし棒と受け金具の隙間に起因する振動が、騒音の主要な原因であることに着目して、該隙間における落とし棒の動きを封じることで、他の機構は従来と変わることがなく、前記の騒音を防止することに成功したものである。
【００１２】
具体的には、門扉のパイプ状落とし棒の先端が取付地面に設けられた受けつぼに固定され、開閉可能な門扉が固定されるようになされ、パイプ状落とし棒の内部に落とし棒の消音キャップの円柱状の本体部の嵌入側先端を取りつけて構成された門扉の落とし棒の先端構造において、
パイプ状落とし棒の先端部には逆Ｕ字状切欠き部を設け、該落とし棒の消音キャップには円柱状の本体部の頭部側に付け根を有し外方向に伸びたゴムまたはプラスチックからなる消音用腕状突起部を設け、
該消音用腕状突起部を該逆Ｕ字状切欠き部から外方向に突出するようにして組み付け、かつ該パイプ状落とし棒の先端内部に該落とし棒の消音キャップの本体部の楔型固定部を挿入固定したことを特徴とする門扉の落とし棒の先端構造（請求項１）である。
【００１３】
また、消音用腕状突起部をゴムまたはプラスチックとしてポリオキシメチレンを用いたことを特徴とする請求項１に記載の門扉の落とし棒の先端構造（請求項２）である。
【００１４】
なおまた、消音キャップの本体部の楔型固定部は、パイプ状落とし棒の内径よりやや大きい外径の傘状先端とその下部のリング状の多段鍔部とを備えて構成されていることを特徴とする請求項１または請求項２に記載の門扉の落とし棒の先端構造（請求項３）である。
【００１５】
さらに、パイプ状落とし棒として、アルミニウムまたは鋼材からなるパイプを用いたことを特徴とする請求項１または２に記載の門扉の落とし棒の先端構造（請求項４）である。
【００１６】
すなわち、本考案では、門扉のパイプ状落とし棒の先端に該パイプの中心軸線を通る一面の対象部位に逆Ｕ字状切欠き部を設け、円柱状のキャップ本体部と、その両翼方向に設けられた消音用腕状突起部とからなるゴムまたはプラスチックからなる消音キャップを、該落とし棒の先端に設けた該逆Ｕ字状切欠き部に該消音用腕状突起が外方向上方に突出するようにして、組み合わせたものであるから、これを取付地面に固定された受けつぼの小径部に保持されるように嵌入固定することにより、風や人為的に門扉を揺るがすようなことがあっても、落とし棒と、受けつぼの関係位置は固定状態で変動がなく、不快な騒音が発生することがない。
【００１７】
なお、上記で、受けつぼの小径部とした所以は、受けつぼが上面円形の場合はいずれの方向でもよいが、楕円形もしくは長円形類似の場合は、通常短径側が門扉の内外を定める方向に位置する様に設定されるので、この方向が短径となり、落とし棒に取り付けられる消音用腕状突起部が、クリアランスを消滅させて固定される。
【００１８】
本考案では、この門扉の内外方向に受けつぼの小径部が設定されるので、落とし棒の消音用腕状突起部がこの受けつぼの小径部内において動かないように支持固定されるので、風や人為的な門扉の揺動があっても不快音の発生の虞れがないものである。
【考案の効果】
【００１９】
上述のように、本考案は簡単な構造で、単に落とし棒の先端構造を改良するだけで、完全に門扉の騒音、不快音を防止できる効果を奏するものである。
【考案を実施するための最良の形態】
【００２０】
図１は本考案の落とし棒を取付地面に設置された受けつぼの短径側を断面で示した、落とし棒の固定状態の正面図である。落とし棒１１の先端の落とし棒の落し構造１０は、パイプ状の落とし棒１１の先端に本考案で用いられる消音キャップを楔型固定部１６で固定してある。
【００２１】
１４はキャップの本体部で、１５はキャップの円蓋状頭部、その先端である上部には楔型固定部１６が形成され、この楔型固定部１６が打ち込み等により落とし棒を構成しているパイプ１１内に固定される。
【００２２】
１８は取付地面２２に設置された受けつぼであり、消音キャップ１３の消音用腕状突起部１７は、後述の図面で明瞭に示されるが、パイプ１１内の逆Ｕ字状切欠き部１２より外方向、上方に突出して、受けつぼ１２の短径部にクリアランスを解消して、支持固定している。
【００２３】
なお、消音キャップ１３の円蓋状頭部１５は通常用いられている従来のキャップと同様に、キャップを打ち込みその楔型固定部１６をパイプ１１内に食い込ませて固定するのに有効であり、さらにパイプの衝撃破壊の発生を阻止できる展で有効に作用するものである。
【００２４】
図２はパイプ状の落とし棒１１の先端構造の側面図で、図１と同一箇所には同一符号が付されている。
【００２５】
これを説明すれば、パイプ状の落とし棒１１の先端には本考案で用いられる消音キャップ１３のキャップ本体部１４の楔型固定部１６を打ち込み固定してあるが、楔型固定部１６は、パイプ状の落とし棒の内径よりやや大きい外径の傘状先端とその下部の数段のリング状多段鍔部とを有し、落とし棒のパイプ１１内に消音キャップ１３をいわゆる楔打ちすることで、外楔型固定部１６をパイプに強固に食い込ませて固定することができる。
【００２６】
該落とし棒１１には下部に逆Ｕ字状切欠き部１２が中心軸を通る縦方向の面に対して対称面に一対設けられており、消音キャップ１３に設けられた消音用腕状突起部１７が消音キャップ１３のキャップ本体部１４の下側となっている肩部より上方外方向に該Ｕ字状の切欠き部１２より突出して設けられている。
【００２７】
なお１５は、キャップの円蓋状頭部で万一受けつぼに衝突しても衝撃を緩和できることは、従来と変わりはない。
【００２８】
図３は、本考案におけるパイプ状の落とし棒１１の先端構造で、逆Ｕ字状の切欠き部１２の一方の側から見た側面図である。
【００２９】
図４は、パイプ状の落とし棒１１の内部に設置される消音キャップ１３の一例の正面図で、キャップ本体部１４の図面上底部は、キャップの円蓋状頭部１５であり、キャップ本体部１４の下方の肩部から上方外方向に向けて、消音用腕状突起部１７が設けられている。１６は、パイプ状の落とし棒１１の内部に打ち込み固定される楔型固定部である。
【００３０】
図５は、図４の９０度角度を変えた側面図で、図３、図４、図５と同一箇所には同一符号が付されており、消音用腕状突起部１７がパイプ状の落とし棒１１の下部のＵ字状の切欠き部１２より突出していることが理解できる。
【００３１】
図６は、消音キャップ１３の上面図で、消音キャップ１３には、キャップの円蓋状頭部１５の内部側に、キャップ本体部１４が形成され、その上部に楔型固定部１６が形成され、その左右には突出した消音用腕状突起部１７が形成されている。
【００３２】
このような構造の消音キャップ１３をパイプ状落とし棒１１の先端に組み入れた場合、図１等で詳細に説明したように、受けつぼ１８に側周方向ではクリアランスを解消して強固に固定されるので、このため、落とし棒１１と受けつぼ１８は強固に一体化されて保持され、強い風や手動によっても揺動せず、騒音を発生させることはない。
【００３３】
本考案の実施態様である上記実施例では、パイプとしてアルミニウムが軽量で強靭であり、鉄鋼パイプは、アルミニウムよりも軽量ではないが、強靭であるので、それぞれ目的に応じて選択して使用される。
【００３４】
消音キャップ１３の上面には楔型固定部１６が設けられているので、螺子結合のような面倒な加工を必要としない。
【００３５】
なお、本考案の実施例では消音キャップの突起部にはポリオキシメチレンが用いられ、強靭性と弾性を発揮するので、好ましく用いられることが確認されたが他の弾性あるゴムや合成樹脂の適用を排除するものではない。
【図面の簡単な説明】
【００３６】
【図１】本考案の落とし棒の先端を落し、取付地面に設置された受けつぼの短径側を断面で示した、落とし棒の固定状態の正面図。
【図２】本考案の消音キャップをパイプ状落とし棒の先端に装着した状態の側面図。
【図３】本考案の落とし棒の先端の側面図。
【図４】本考案で用いられる消音キャップの一例の正面図。
【図５】本考案で用いられる消音キャップの一例の側面図。
【図６】本考案で用いられる消音キャップの一例の底面図。
【図７】従来の門扉の落とし棒を受けつぼに落した状態の門扉の正面図。
【図８】従来の門扉の落とし棒を受けつぼに落した状態の正面図。
【符号の説明】
【００３７】
１０  落とし棒の落し構造
１１  パイプの切欠き部
１２  逆Ｕ字状切欠き部
１３  消音キャップ
１４  キャップ本体部
１５  キャップの円蓋状頭部
１６  キャップの楔型固定部
１７  消音用腕状突起部
１８  受けつぼ
１９  落とし棒ホルダー
２０  門扉
２１  門扉の底面部
２２  取付地面
【図１】
0003149079.tif 000003
【図２】
0003149079.tif 000004
【図３】
0003149079.tif 000005
【図４】
0003149079.tif 000006
【図５】
0003149079.tif 000007
【図６】
0003149079.tif 000008
【図７】
0003149079.tif 000009
【図８】
0003149079.tif 000010